(57)【要約】      （修正有）【課題】平面的な擁壁のみならず、立体的な曲面を有する擁壁構造を自由に構築することができ、一部の擁壁ブロックのアンカー効果により、擁壁ブロックの滑動を防止し、堅固な擁壁構造を、短期間に低コストで構築できるようにすることを課題とする。【解決手段】長軸Ｘ軸と短軸Ｙ軸を有する長方形状の断面形状を備えた柱状の擁壁ブロックを使用した平面状又は曲面状の擁壁構造であって、長軸Ｘ軸を擁壁法面に沿って水平方向に配置し、短軸Ｙ軸を擁壁法面の前方方向であってかつ水平方向に配置した擁壁ブロックと、短軸Ｙ軸を擁壁法面に沿って水平方向に配置し、長軸Ｘ軸を擁壁法面の前方方向であってかつ水平方向に配置した擁壁ブロックと、を組み合わせた構成の擁壁構造とした。【選択図】図３
2017206832.tif 000002
【特許請求の範囲】
【請求項１】
長軸Ｘ軸と短軸Ｙ軸を有する長方形状の断面形状を備えた柱状の擁壁ブロックを使用した平面状又は曲面状の擁壁構造であって、
長軸Ｘ軸を擁壁法面に沿って水平方向に配置し、短軸Ｙ軸を擁壁法面の前方方向であってかつ水平方向に配置した擁壁ブロックと、
短軸Ｙ軸を擁壁法面に沿って水平方向に配置し、長軸Ｘ軸を擁壁法面の前方方向であってかつ水平方向に配置した擁壁ブロックと、
を組み合わせることを特徴とする擁壁構造。
【請求項２】
長軸Ｘ軸と短軸Ｙ軸を有する長方形状の断面形状を備え、かつ当該長方形状の断面形状の角部を円弧で丸めるか又は面取りを行った断面形状を備えた柱状の擁壁ブロックを使用した平面状又は曲面状の擁壁構造であって、
長軸Ｘ軸を擁壁法面に沿って水平方向に配置し、短軸Ｙ軸を擁壁法面の前方方向であってかつ水平方向に配置した擁壁ブロックと、
短軸Ｙ軸を擁壁法面に沿って水平方向に配置し、長軸Ｘ軸を擁壁法面の前方方向であってかつ水平方向に配置した擁壁ブロックと、
を組み合わせることを特徴とする擁壁構造。
【請求項３】
請求項１又は２に記載された擁壁構造において、
長軸Ｘ軸を擁壁法面に沿って水平方向に配置し、短軸Ｙ軸を擁壁法面の前方方向であってかつ水平方向に配置した擁壁ブロックと、
短軸Ｙ軸を擁壁法面に沿って水平方向に配置し、長軸Ｘ軸を擁壁法面の前方方向であってかつ水平方向に配置した擁壁ブロックと、が横方向（水平方向）において交互に配置されていることを特徴とする擁壁構造。
【請求項４】
請求項３に記載された擁壁構造において、
長軸Ｘ軸を擁壁法面に沿って水平方向に配置し、短軸Ｙ軸を擁壁法面の前方方向であってかつ水平方向に配置した擁壁ブロックと、
短軸Ｙ軸を擁壁法面に沿って水平方向に配置し、長軸Ｘ軸を擁壁法面の前方方向であってかつ水平方向に配置した擁壁ブロックと、が横方向（水平方向）において交互に配置されると共に、擁壁法面の上下方向（垂直方向）に複数段段積みされていることを特徴とする擁壁構造。
【請求項５】
請求項４に記載された擁壁構造において、
上段側における長軸Ｘ軸を擁壁法面に沿って水平方向に配置し、短軸Ｙ軸を擁壁法面の前方方向であってかつ水平方向に配置した擁壁ブロックと、下段側における長軸Ｘ軸を擁壁法面に沿って水平方向に配置し、短軸Ｙ軸を擁壁法面の前方方向であってかつ水平方向に配置した擁壁ブロックと、が横方向（水平方向）に所定距離だけ離れて配置されていることを特徴とする擁壁構造。
【請求項６】
請求項１乃至５に記載された擁壁構造において、
擁壁ブロックの長軸Ｘ軸と短軸Ｙ軸との長さの比が２：１となっていることを特徴とする擁壁構造。
【発明の詳細な説明】
【技術分野】
【０００１】
本発明は、道路工事における擁壁、例えば直立擁壁、河川工事における護岸擁壁、例えば多段積護岸擁壁や緑化型自然護岸擁壁、宅地造成工事の土留擁壁、海岸堤防の護岸擁壁、例えば築堤護岸擁壁、あるいは城壁や石垣等の景観擁壁などの構築に使用される擁壁構造に関するものである。
【背景技術】
【０００２】
このような擁壁構造の例としては、基礎地盤上に配設した基礎部上にブロック３２を段積みして構築する構造物に係る先行技術がある。（特許文献１参照）
この先行技術における段積みブロック３２は、前壁３３及び後壁３４と、両前・後壁３３、３４を連結する連結体（左・右側壁３５、３６）とを具備し、上下方向に開口する四角形筒状に形成され、後壁３４は前壁３３の半分以下の高さに設定されている。  また、左・右側壁３５、３６の上部間には、滑動抵抗体４０が横架されている。
【０００３】
そして、ブロックを段積みして形成される各段の上下境界面位置に、下段ブロック側と上段ブロック側に跨がるよう滑動抵抗体４０が配置され、下段ブロックの前壁３３と同下段ブロック側の滑動抵抗体４０の部分との間に形成される空間に、拘束層形成材（胴込め材３１：  砕石、栗石等）を充填して下段側の前部拘束層を形成すると共に、同下段ブロック側の滑動抵抗体４０の部分と同下段ブロックの後壁ないしは構造物の背後に形成されている法面との間に形成される空間に、拘束層形成材（裏込め材１７）を充填して下段側の後部拘束層を形成するようになっている。
【０００４】
また、上段ブロックの前壁３３と同上段ブロック側の滑動抵抗体４０の部分との間に形成される空間に、拘束層形成材（胴込め材３１：  砕石、栗石等）を充填して上段側の前部拘束層を形成すると共に、同上段ブロック側の滑動抵抗体４０の部分と同上段ブロックの後壁３４との間に形成される空間に、拘束層形成材（胴込め材３１：  砕石、栗石等）を充填して上段側の後部拘束層を形成して、前記各段の上下境界面位置にて、上・下段の前部拘束層を上下方向に連続させると共に、上・下段の後部拘束層を上下方向に連続させて、上下方向に連続する前部拘束層と上下方向に連続する後部拘束層が、上記滑動抵抗体４０を介して反力（受働）を発揮することにより、上下境界面におけるブロックの滑動抵抗力を強化した擁壁ブロックの上下境界部構造を備えた擁壁構造としている。
【先行技術文献】
【特許文献】
【０００５】
【特許文献１】特開２０１１−２０２４９９号公報
【発明の概要】
【発明が解決しようとする課題】
【０００６】
前記特許文献１が開示する発明の擁壁構造においては、前壁３３、後壁３４、両前・後壁３３、３４を連結する連結体（左・右側壁３５、３６）、および左・右側壁３５、３６の上部間に配置された滑動抵抗体４０によって、擁壁ブロックが滑動することを防止するように配慮されたものであったが、擁壁ブロックの滑動防止のために活動抵抗体４０という特別な部材を準備し、これを擁壁構築段階において、擁壁内部の胴込め材３１の中に埋設することが必要となるため擁壁構築工程が複雑になり、擁壁構築の作業期間が長くなると共に、擁壁構築コストが高くなるという問題があった。
【０００７】
本発明は、従来技術のかかる問題に鑑みてなされたものであり、平面的な擁壁のみならず、立体的な曲面を有する擁壁構造を自由に構築することができ、一部の擁壁ブロックのアンカー効果により、擁壁ブロックの滑動を防止し、堅固な擁壁構造を、短期間に低コストで構築できるようにすることを課題とするものである。
【課題を解決するための手段】
【０００８】
上述した課題を解決するため、第１の観点にかかる発明においては、長軸Ｘ軸と短軸Ｙ軸を有する長方形状の断面形状を備えた柱状の擁壁ブロックを使用した平面状又は曲面状の擁壁構造であって、長軸Ｘ軸を擁壁法面に沿って水平方向に配置し、短軸Ｙ軸を擁壁法面の前方方向であってかつ水平方向に配置した擁壁ブロックと、短軸Ｙ軸を擁壁法面に沿って水平方向に配置し、長軸Ｘ軸を擁壁法面の前方方向であってかつ水平方向に配置した擁壁ブロックと、を組み合わせた構成の擁壁構造とした。
【０００９】
また、第２の観点にかかる発明においては、長軸Ｘ軸と短軸Ｙ軸を有する長方形状の断面形状を備え、かつ当該長方形状の断面形状の角部を円弧で丸めるか又は面取りを行った断面形状を備えた柱状の擁壁ブロックを使用した平面状又は曲面状の擁壁構造であって、長軸Ｘ軸を擁壁法面に沿って水平方向に配置し、短軸Ｙ軸を擁壁法面の前方方向であってかつ水平方向に配置した擁壁ブロックと、短軸Ｙ軸を擁壁法面に沿って水平方向に配置し、長軸Ｘ軸を擁壁法面の前方方向であってかつ水平方向に配置した擁壁ブロックと、を組み合わせた構成の擁壁構造とした。
【００１０】
また、第３の観点にかかる発明においては、第１又は第２の観点に係る発明の擁壁構造であって、長軸Ｘ軸を擁壁法面に沿って水平方向に配置し、短軸Ｙ軸を擁壁法面の前方方向であってかつ水平方向に配置した擁壁ブロックと、短軸Ｙ軸を擁壁法面に沿って水平方向に配置し、長軸Ｘ軸を擁壁法面の前方方向であってかつ水平方向に配置した擁壁ブロックと、が横方向（水平方向）において交互に配置されている構成の擁壁構造とした。
【００１１】
更に、第４の観点にかかる発明においては、第３の観点に係る発明の擁壁構造であって、長軸Ｘ軸を擁壁法面に沿って水平方向に配置し、短軸Ｙ軸を擁壁法面の前方方向であってかつ水平方向に配置した擁壁ブロックと、短軸Ｙ軸を擁壁法面に沿って水平方向に配置し、長軸Ｘ軸を擁壁法面の前方方向であってかつ水平方向に配置した擁壁ブロックと、が横方向（水平方向）において交互に配置されると共に、擁壁法面の上下方向（垂直方向）に複数段段積みされた構成の擁壁構造とした。
【００１２】
また、第５の観点にかかる発明においては、第４の観点に係る発明の擁壁構造であって、上段側における長軸Ｘ軸を擁壁法面に沿って水平方向に配置し、短軸Ｙ軸を擁壁法面の前方方向であってかつ水平方向に配置した擁壁ブロックと、下段側における長軸Ｘ軸を擁壁法面に沿って水平方向に配置し、短軸Ｙ軸を擁壁法面の前方方向であってかつ水平方向に配置した擁壁ブロックと、が横方向（水平方向）に所定距離だけ離れて配置されている構成の擁壁構造とした。
【００１３】
また、第６の観点にかかる発明においては、第１乃至第５の観点のいずれかに係る発明の擁壁構造であって、擁壁ブロックの長軸Ｘ軸と短軸Ｙ軸との長さの比が２：１となっていることを特徴とする擁壁構造。
【発明の効果】
【００１４】
本発明では、上述したような構成の擁壁構造とすることにより、平面的な擁壁のみならず、立体的な曲面を有する擁壁構造を自由に構築することができると共に、一部の擁壁ブロックのアンカー効果により、擁壁ブロックの滑動を防止し、堅固な擁壁構造を、短期間に低コストで構築できるという効果を有する。
【図面の簡単な説明】
【００１５】
【図１】図１は、本発明に係る第１の実施例に係る擁壁ブロックを示したものである。
【図２】図２は、本発明に係る第２の実施例に係る擁壁ブロックを示したものである。
【図３】図３は、本発明に係る第１の実施例に係る擁壁ブロックを使用して１段積みの擁壁構造を構築した状態を示したものである。
【図４】図４は、本発明に係る第１の実施例に係る擁壁ブロックを使用して多段積みの擁壁構造を構築した状態を示したものである。
【図５】図５は、本発明に係る第２の実施例に係る擁壁ブロックを使用して１段積みの擁壁構造を構築した状態を示したものである。
【図６】図６は、本発明に係る第２の実施例に係る擁壁ブロックを使用して多段積みの擁壁構造を構築した状態を示したものである。
【図７】図７は、本発明に係る第１の実施例に係る擁壁ブロックの変形例を示したものであり、擁壁ブロックの外周面には、外側方向に突出した断面が半円弧状の突起部が複数個設けられているものである。
【図８】図８は、本発明に係る第２の実施例に係る擁壁ブロックの変形例を示したものであり、擁壁ブロックの外周面には、外側方向に突出した断面が半円弧状の突起部が複数個設けられているものである。
【発明を実施するための形態】
【００１６】
以下、図面を用いて本発明の実施形態について説明する。  図１は、本発明の第１の実施例に係る擁壁ブロック１０の斜視図を示したものであり、図３は第１の実施例に係る擁壁ブロック１０を使用して、１段積みの擁壁構造を構築した場合の斜視図を示したものである。
また、図４は、第１の実施例に係る擁壁ブロック１０を使用して、多段積みの擁壁構造を構築した場合の斜視図を示したものである。
【００１７】
第１の実施例に係る擁壁ブロック１０は、長方形状の断面形状を備えた柱状であって（図１参照）、長方形断面の長手方向を長軸Ｘ軸と呼び、長方形断面であって長軸Ｘ軸に垂直な方向を短軸Ｙ軸と呼ぶ。  擁壁ブロック１０の内部には、高さ（Ｈ）方向に沿って１又は複数の空洞部分を設けるようにしても良く、幅（Ｗ）、長さ（Ｌ）、および高さ（Ｈ）の各寸法は任意に設定することができる。  擁壁構造を構築する際の擁壁ブロック１０の配列を簡便にするために、幅（Ｗ）寸法と長さ（Ｌ）寸法の比を１：２に設定しても良い。
【００１８】
擁壁ブロック１０は、コンクリートを使用して形成することができる。  使用するコンクリートとしては、透水性コンクリートおよび非透水性コンクリートのいずれであってもよい。
また、擁壁ブロック１０はコンクリート製に限定されるものではなく、防錆処理をした鉄等の金属製としたり、耐腐食性を備えた樹脂材料製、あるいは樹脂系複合材料製としても良い。
【００１９】
図３は、擁壁ブロック１０を使用して、１段積みの擁壁構造１００を構築した場合の斜視図を示したものである。  この擁壁構造１００においては、擁壁ブロック１０を複数個配置して擁壁構造１００を構築している。  擁壁ブロックの配置方法としては、図３に示した擁壁構造１００においては、擁壁ブロック１０の断面における長軸Ｘ軸を擁壁法面に沿って水平方向に配置し、短軸Ｙ軸を擁壁法面の前方方向であってかつ水平方向に配置した擁壁ブロック１０と、短軸Ｙ軸を擁壁法面に沿って水平方向に配置し、長軸Ｘ軸を擁壁法面の前方方向であってかつ水平方向に配置した擁壁ブロック１０とを交互に並べて配置しているが、これに限定されるものではなく、これらの擁壁ブロック１０をランダムに配置することにより擁壁構造を構築するようにしても良い。
【００２０】
図４は、擁壁ブロック１０を使用して、多段積みの擁壁構造１００を構築した場合の斜視図を示したものである。  この擁壁構造１００においては、図３で示した１段積みの擁壁構造１００の上に、更に、擁壁ブロック１０を複数段段積みしたものである。  図４に示す擁壁構造１００では、上段側における長軸Ｘ軸を擁壁法面に沿って水平方向に配置し、短軸Ｙ軸を擁壁法面の前方方向であってかつ水平方向に配置した擁壁ブロック１０と、下段側における長軸Ｘ軸を擁壁法面に沿って水平方向に配置し、短軸Ｙ軸を擁壁法面の前方方向であってかつ水平方向に配置した擁壁ブロック１０とが、横方向（水平方向）に所定距離だけ離れて配置されているが、これに限定されるものではない。  上段側における擁壁ブロック１０の配置形態と下段側における擁壁ブロック１０の配置形態に、特定の規則性持たせないようにして擁壁構造１００を構築することもできる。
【００２１】
なお、擁壁ブロック１０の中の中空部分および擁壁ブロック１０と法面５の間の空間には砕石や栗石等からなる中詰材６を充填し、これを転圧するようにしても良い。
【００２２】
ここで述べたような擁壁構造１００とすることにより、平面的な擁壁のみならず、立体的な曲面を有する法面を形成する擁壁を自由に構築することができると共に、短軸Ｙ軸を擁壁法面に沿って水平方向に配置し、長軸Ｘ軸を擁壁法面の前方方向であってかつ水平方向に配置した擁壁ブロック１０は擁壁内部へ深く入り込むことになるため、擁壁ブロック１０のアンカー効果により、擁壁ブロック１０の滑動を防止し、堅固な擁壁構造１００を、短期間に低コストで構築できるようになる。
【００２３】
図２は、本発明の第２の実施例に係る擁壁ブロック２０の斜視図を示したものであり、図５は第２の実施例に係る擁壁ブロック２０を使用して、１段積みの擁壁構造を構築した場合の斜視図を示したものである。
また、図６は、第２の実施例に係る擁壁ブロック２０を使用して、多段積みの擁壁構造を構築した場合の斜視図を示したものである。
【００２４】
第２の実施例に係る擁壁ブロック２０は、長方形状の断面形状を備えた柱状であって（図２参照）、長方形断面の角部は円弧で丸められた形状となっている。  図２に示す擁壁ブロック２０の場合、長方形断面の２つの角部が１つの円弧で丸めた形状となっている（言い換えれば、円弧の直径が擁壁ブロック２０の幅（Ｗ）に等しい寸法となっている）が、これに限定されるものではなく、図２に示す角部の円弧よりも小さな円弧で角部を丸めるようにしても良い。
【００２５】
また、長方形断面の角部は円弧で丸めるのではなく、面取りを行った形状に仕上げるようにしても良い。  この場合の面取りの大きさは任意に決定することができる。
【００２６】
第２の実施例に係る擁壁ブロック２０でも、第１の実施例に係る擁壁ブロック１０と同様に、角部を円弧で丸めるか又は面取りを行った断面形状の長手方向を長軸Ｘ軸と呼び、角部を円弧で丸めるか又は面取りを行った断面内であって長軸Ｘ軸に垂直な方向を短軸Ｙ軸と呼ぶ。  擁壁ブロック２０の内部には、高さ（Ｈ）方向に沿って１又は複数の空洞部分を設けるようにしても良く、幅（Ｗ）、長さ（Ｌ）、および高さ（Ｈ）の各寸法は任意に設定することができる。  擁壁構造を構築する際の擁壁ブロック２０の配列を簡便にするために、幅（Ｗ）寸法と長さ（Ｌ）寸法の比を１：２に設定しても良い。
【００２７】
擁壁ブロック２０は、擁壁ブロック１０と同様にコンクリートを使用して形成することができる。  使用するコンクリートとしては、透水性コンクリートおよび非透水性コンクリートのいずれであってもよい。
また、擁壁ブロック２０はコンクリート製に限定されるものではなく、防錆処理をした鉄等の金属製としたり、耐腐食性を備えた樹脂材料製、あるいは樹脂系複合材料製としても良い。
【００２８】
図５は、擁壁ブロック２０を使用して、１段積みの擁壁構造２００を構築した場合の斜視図を示したものである。  この擁壁構造２００においては、擁壁ブロック２０を複数個配置して擁壁構造２００を構築している。  擁壁ブロックの配置方法としては、図５に示す擁壁構造２００においては、擁壁ブロック２０の断面における長軸Ｘ軸を擁壁法面に沿って水平方向に配置し、短軸Ｙ軸を擁壁法面の前方方向であってかつ水平方向に配置した擁壁ブロック２０と、短軸Ｙ軸を擁壁法面に沿って水平方向に配置し、長軸Ｘ軸を擁壁法面の前方方向であってかつ水平方向に配置した擁壁ブロック２０とを交互に並べて配置しているが、これに限定されるものではなく、これらの擁壁ブロック２０をランダムに配置することにより擁壁構造２００を構築するようにしても良い。
【００２９】
図６は、擁壁ブロック２０を使用して、多段積みの擁壁構造２００を構築した場合の斜視図を示したものである。  この擁壁構造２００においては、図５で示した１段積みの擁壁構造２００の上に、更に、擁壁ブロック２０を複数段段積みしたものである。  図６に示す擁壁構造２００では、上段側における長軸Ｘ軸を擁壁法面に沿って水平方向に配置し、短軸Ｙ軸を擁壁法面の前方方向であってかつ水平方向に配置した擁壁ブロック２０と、下段側における長軸Ｘ軸を擁壁法面に沿って水平方向に配置し、短軸Ｙ軸を擁壁法面の前方方向であってかつ水平方向に配置した擁壁ブロック２０とが、横方向（水平方向）に所定距離だけ離れて配置されているが、これに限定されるものではない。  上段側における擁壁ブロック２０の配置形態と下段側における擁壁ブロック２０の配置形態に、特定の規則性持たせないようにして擁壁構造２００を構築することもできる。
【００３０】
なお、擁壁ブロック２０の中の中空部分および擁壁ブロック２０と法面５の間の空間には砕石や栗石等からなる中詰材６を充填し、これを転圧するようにしても良い。
【００３１】
また、擁壁構造１００の場合と同様に、擁壁構造２００においても、平面的な擁壁のみならず、立体的な曲面を有する法面を形成する擁壁を自由に構築することができると共に、短軸Ｙ軸を擁壁法面に沿って水平方向に配置し、長軸Ｘ軸を擁壁法面の前方方向であってかつ水平方向に配置した擁壁ブロック２０は擁壁内部へ深く入り込むことになるため、擁壁ブロック２０のアンカー効果により、擁壁ブロック２０の滑動を防止し、堅固な擁壁構造２００を、短期間に低コストで構築できるようになる。
【００３２】
図７に示す擁壁ブロック３０は、擁壁ブロック１０の変形例であり、擁壁ブロック１０の外周面には、外側方向に突出した断面が半円弧状の突起部３１が複数個設けられている。  図７に示す擁壁ブロック３０では、この半円弧状の突起部３１は、擁壁ブロック３０の全高に亘って伸びているが、このような態様に限定されるものではなく、突起部３１は、擁壁ブロック３０の高さ方向中央部分のみに設けたり、擁壁ブロック３０の上端側端部、あるいは下端側端部にのみ設けるようにしても良い。  また、突起部３１の断面形状は半円弧状となっているが、これに限定されるものではなく、矩形状、三角形状、台形状の断面形状を有する突起部３１としても良い。
【００３３】
また、図８に示す擁壁ブロック４０は、擁壁ブロック２０の変形例であり、擁壁ブロック２０の外周面には、外側方向に突出した断面が半円弧状の突起部４１が複数個設けられている。  図８に示す擁壁ブロック４０では、前述した擁壁ブロック３０と同様に、半円弧状の突起部４１は、擁壁ブロック４０の全高に亘って伸びているが、このような態様に限定されるものではなく、突起部４１は、擁壁ブロック４０の高さ方向中央部分のみに設けたり、擁壁ブロック４０の上端側端部、あるいは下端側端部にのみ設けるようにしても良い。  また、突起部４１の断面形状は半円弧状となっているが、これに限定されるものではなく、矩形状、三角形状、台形状の断面形状を有する突起部４１としても良い。
【００３４】
ここで説明した擁壁ブロック３０、および擁壁ブロック４０を使用して、擁壁構造１００、又は擁壁構造２００と同様な擁壁構造を構築することが可能となり、擁壁構造１００、２００と同様な効果を備えるようにすることができる。
なお、擁壁ブロック３０、および擁壁ブロック４０を使用して擁壁構造を構築する場合、擁壁ブロック３０の突起部３１、および擁壁ブロック４０の突起部４１をそれぞれ互いに噛合うようにして配置することにより、擁壁ブロック３０および擁壁ブロック４０の滑動を防止する効果が高まり、より堅固な擁壁構造を構築することが可能となる。
【００３５】
なお、以上の説明においては、擁壁構造の角部や側端部を含む擁壁構造全面において本発明に係る擁壁ブロックの配置を採用するとして説明してきたが、必ずしもこれに限定されるものではなく、擁壁構造の角部や側端部を除く擁壁構造においてのみ本発明の擁壁構造を適用するようにしても良い。
【符号の説明】
【００３６】
５          法面
６          中詰材
１０        擁壁ブロック
２０        擁壁ブロック
３０        擁壁ブロック
３１        突起部
４０        擁壁ブロック
４１        突起部
１００      擁壁構造
２００      擁壁構造
【図１】
2017206832.tif 000003
【図２】
2017206832.tif 000004
【図３】
2017206832.tif 000005
【図４】
2017206832.tif 000006
【図５】
2017206832.tif 000007
【図６】
2017206832.tif 000008
【図７】
2017206832.tif 000009
【図８】
2017206832.tif 000010